(57)【要約】【課題】扇風機の羽根の文字又は図形の表示制御装置の提供。【解決手段】駆動手段と、該駆動手段の駆動を受けて回転する回転部と、該回転部に取り付けられた表示ユニットと、該表示ユニットを制御して点滅させる表示制御装置とで組成され、人の目の残像特性を利用し、駆動手段或いはその他の動力で表示ユニットを駆動して均速運動を行わせ、運動周期時間を残像残留の時間より短くし、さらに表示制御装置或いはその他の数字回路で表示ユニットの点滅を制御し、人の目に表示ユニットの運動軌跡面上に一幅の連続し且つ安定した画面が見えるようにする。【選択図】        図１
2004151293.tif 000002
【特許請求の範囲】
【請求項１】
駆動手段と、該駆動手段の駆動を受けて回転する回転部と、該回転部に取り付けられた表示ユニットと、該表示ユニットを制御して点滅させる表示制御装置とを具え、人の目の残像特性を利用し、駆動手段或いはその他の動力で表示ユニットを駆動して均速運動を行わせ、その運動周期時間を残像残留の時間より短くし、さらに表示制御装置或いはその他の数字回路で表示ユニットの点滅を制御し、人の目に表示ユニットの運動軌跡面上に一幅の連続し且つ安定した画面が見えるように形成されたことを特徴とする、扇風機の羽根の文字又は図形の表示制御装置。
【請求項２】
請求項１に記載の扇風機の羽根の文字又は図形の表示制御装置において、駆動ユニットがモータ或いは扇風機のモータとされたことを特徴とする、扇風機の羽根の文字又は図形の表示制御装置。
【請求項３】
請求項１に記載の扇風機の羽根の文字又は図形の表示制御装置において、回転部が扇風機の羽根とされたことを特徴とする、扇風機の羽根の文字又は図形の表示制御装置。
【請求項４】
請求項１に記載の扇風機の羽根の文字又は図形の表示制御装置において、表示ユニットが複数のＬＥＤアレイで組成されたことを特徴とする、扇風機の羽根の文字又は図形の表示制御装置。
【請求項５】
請求項１に記載の扇風機の羽根の文字又は図形の表示制御装置において、表示制御装置が電源ユニットと駆動ユニットを具えたことを特徴とする、扇風機の羽根の文字又は図形の表示制御装置。
【請求項６】
請求項５に記載の扇風機の羽根の文字又は図形の表示制御装置において、電源ユニット内に速度安定回路が設けられたことを特徴とする、扇風機の羽根の文字又は図形の表示制御装置。
【請求項７】
請求項１に記載の扇風機の羽根の文字又は図形の表示制御装置において、駆動ユニット内に表示ユニットを駆動して点滅させるソフトウエアが格納されたことを特徴とする、扇風機の羽根の文字又は図形の表示制御装置。
【発明の詳細な説明】
【０００１】
【発明の属する技術分野】
本発明は一種の扇風機の羽根の文字又は図形の表示制御装置に係り、特に、扇風機の回転部に表示ユニットを取り付け、回転部が回転する時、人の目の残像特性を利用し、表示ユニットの運動軌跡上に連続する文字或いは図形を現出させるようにした、扇風機の羽根の文字又は図形の表示制御装置に関する。
【０００２】
【従来の技術】
周知のとおり、現在扇風機は人々の夏の生活に不可欠の家電製品となっており、且つ扇風機の製造コストは低く、ゆえに電器メーカーが電器の販売促進のために、扇風機を贈答品とする場合もある。このような状況にあって、ほとんどの家庭で扇風機が使用されている。
【０００３】
上述の扇風機はモータを具え、モータに羽根が固定され、扇風機のスイッチが押された後、モータが羽根を駆動して回転させ、周囲の空気を吸入した後、風を送出する。羽根の回転速度は極めて速く、このためメーカーは羽根の外部にカバーを取り付け、使用者が誤って接触して怪我をしないようにしている。しかし、前述の扇風機はいずれも昔から同じ設計とされ、さらに多くの家庭でエアコンが取り付けられる状況にあって、消費者の購入意欲は大幅に下がっている。
【０００４】
また、現在、ある業者は羽根を透明状に形成しているが、回転時に羽根が回転しているかどうかが分かりにくいため、子供が手指をカバーの内側に差し込んで回転する羽根により怪我をすることがある。
【０００５】
【発明が解決しようとする課題】
本発明の主要な目的は、上述の従来の技術の欠点を解決し、欠点の存在を無くすことにあり、即ち、本発明は、扇風機の回転部に表示ユニットを取り付け、回転部が回転する時、人の目の残像特性により、表示ユニットの運動軌跡上に連続する文字或いは図形を現出できるようにする。
【０００６】
本発明のもう一つの目的は、表示する文字又は図形を会社の商標、広告図形、或いは警告文字或いは図形とし、これにより販売促進或いは警告の効果を達成できるようにすることにある。
【０００７】
【課題を解決するための手段】
請求項１の発明は、駆動手段と、該駆動手段の駆動を受けて回転する回転部と、該回転部に取り付けられた表示ユニットと、該表示ユニットを制御して点滅させる表示制御装置とを具え、人の目の残像特性を利用し、駆動手段或いはその他の動力で表示ユニットを駆動して均速運動を行わせ、その運動周期時間を残像残留の時間より短くし、さらに表示制御装置或いはその他の数字回路で表示ユニットの点滅を制御し、人の目に表示ユニットの運動軌跡面上に一幅の連続し且つ安定した画面が見えるように形成されたことを特徴とする、扇風機の羽根の文字又は図形の表示制御装置としている。
請求項２の発明は、請求項１に記載の扇風機の羽根の文字又は図形の表示制御装置において、駆動ユニットがモータ或いは扇風機のモータとされたことを特徴とする、扇風機の羽根の文字又は図形の表示制御装置としている。
請求項３の発明は、請求項１に記載の扇風機の羽根の文字又は図形の表示制御装置において、回転部が扇風機の羽根とされたことを特徴とする、扇風機の羽根の文字又は図形の表示制御装置としている。
請求項４の発明は、請求項１に記載の扇風機の羽根の文字又は図形の表示制御装置において、表示ユニットが複数のＬＥＤアレイで組成されたことを特徴とする、扇風機の羽根の文字又は図形の表示制御装置としている。
請求項５の発明は、請求項１に記載の扇風機の羽根の文字又は図形の表示制御装置において、表示制御装置が電源ユニットと駆動ユニットを具えたことを特徴とする、扇風機の羽根の文字又は図形の表示制御装置としている。
請求項６の発明は、請求項５に記載の扇風機の羽根の文字又は図形の表示制御装置において、電源ユニット内に速度安定回路が設けられたことを特徴とする、扇風機の羽根の文字又は図形の表示制御装置としている。
請求項７の発明は、請求項１に記載の扇風機の羽根の文字又は図形の表示制御装置において、駆動ユニット内に表示ユニットを駆動して点滅させるソフトウエアが格納されたことを特徴とする、扇風機の羽根の文字又は図形の表示制御装置としている。
【０００８】
【発明の実施の形態】
本発明は一種の扇風機の羽根の文字又は図形の表示制御装置を提供し、それは、表示装置が扇風機の回転部に取り付けられ、該回転部が駆動手段の駆動を受けて回転する時に、表示制御装置が表示ユニットを駆動して点滅させ、並びに人の目の視覚残留（残像）特性により、文字或いは図形を人の脳内に約４０ＭＳの時間保留できることから、回転部の運動面上に連続し安定した文字或いは図形を現出させ及びその変化を見ることができるようにした装置であるものとする。
【０００９】
【実施例】
図１は本発明の実施例表示図である。図示されるように、本発明の扇風機の羽根の文字又は図形の表示制御装置は、表示制御装置１が扇風機の回転部２（羽根）に取り付けられ、回転部２が駆動手段３（或いは扇風機のモータ）の駆動を受けて回転すると同時に、該表示制御装置１がＬＥＤアレイユニット１３を駆動し点滅のさせ、並びに文字或いは図形が人の脳内に約４０ＭＳ保留されることによる人の目の残像を利用し、回転部２の運動面上に連続した安定性のある文字或いは図形の現出及び変化を見られるようにしている。
【００１０】
図２、３、４は本発明の速度制御及びＬＥＤアレイ制御回路のブロック図及び回路表示図である。図示されるように、本発明の扇風機の羽根の文字又は図形の表示制御装置は、電源ユニット１１、駆動ユニット１２、ＬＥＤアレイユニット１３、及び駆動手段３で組成されている。前述した電源ユニット１１は表示装置が必要とする電源を提供するほか、速度安定回路１１１を具え、この速度安定回路１１１が駆動手段３の回転速度を任意の回転速度に安定させ、回転部２上のＬＥＤアレイユニット１３の回転時に図形或いは文字をＬＥＤアレイユニット１３の運動軌跡面上に現出させる。これは図６に示されるとおりである。
【００１１】
該駆動ユニット１２内にＬＥＤアレイユニット１３を駆動して点滅させるソフトウエアが格納されている。
【００１２】
該ＬＥＤアレイユニット１３の設計は、仮にＬＥＤアレイユニット１３が７個のＬＥＤで組成されて、回転面上にＥの文字図形を現出させたい場合は、駆動手段３の回転速度を２４００回転／分とし、７個のＬＥＤを駆動する。我々は画像を分解して点マトリクスとなし、Ｅの文字を５×７の標準点マトリクス上に現出させ、駆動手段３の回転速度を２４００回転／分とし、即ち１回転に必要な時間は２５ｍｓとする。もし我々が一周の回転を７２個の点に分ければ、即ち一周で最多で１２個の文字（７２／５＋１）を表示でき、そのうち各文字は１点の間隔を有し、各点を点灯させる時間は３７４ｕｓであり、これにより、一つのＥ文字を表示するには、７個のＬＥＤを駆動し、これは図５の制御順序図から知ることができる。
【００１３】
これにより、図形が人の脳内に約４０ＭＳ保留されることによる人の目の残像特性を利用し、駆動手段３或いはその他の動力を使用してＬＥＤアレイユニット１３を駆動して均速運動を行わせ、その運動周期時間を残像残留時間より小さくし、さらに駆動ユニット１２或いはその他の数字回路を使用しＬＥＤアレイユニット１３を制御して点滅させ、人の目にＬＥＤアレイユニット１３の運動軌跡面上の連続し且つ安定した画面が見えるようにする。
【００１４】
さらに、本発明の表示する図形或いは文字は、会社商標、広告図形、或いは子供に扇風機の羽根に触らないように告知する警告文字或いは図形とされ得る。
以上の説明は、本発明の実施例の説明であって、本発明の実施範囲を限定するものではなく、本発明に基づきなしうる細部の修飾或いは改変は、いずれも本発明の請求範囲に属するものとする。
【００１５】
【発明の効果】
本発明は、扇風機の回転部に表示ユニットを取り付け、回転部が回転する時、人の目の残像特性により、表示ユニットの運動軌跡上に連続する文字或いは図形を現出できるようにしている。
本発明はまた、表示する文字又は図形を会社の商標、広告図形、或いは警告文字或いは図形とし、これにより販売促進或いは警告の効果を達成できるようにしている。
【図面の簡単な説明】
【図１】本発明の実施例表示図である。
【図２】本発明の速度制御回路ブロック図である。
【図３】本発明のＬＥＤアレイ制御回路ブロック図である。
【図４】図２、３の電気回路図である。
【図５】本発明のＬＥＤアレイ制御順序表示図である。
【図６】本発明の使用状態表示図である。
【符号の説明】
１  表示制御装置
１１  電源ユニット
１１１  速度安定回路
１２  駆動ユニット
１３  ＬＥＤアレイユニット
２  回転部
３  駆動手段
【図１】
2004151293.tif 000003
【図２】
2004151293.tif 000004
【図３】
2004151293.tif 000005
【図４】
2004151293.tif 000006
【図５】
2004151293.tif 000007
【図６】
2004151293.tif 000008